(57)【要約】【課題】端子収容孔への端子の挿入を開始するときに、端子の逆挿入を検知することができるコネクタを提供する。【解決手段】端子収容孔７と係止部９とが設けられているコネクタハウジング３と、箱状部１３と前記箱状部の前端部で前記箱状部から縦方向の一方の側に突出している突出部１７とを備えた端子５とを有し、前記端子収容孔は、前記端子の箱状部が挿入される端子箱状部挿入部１９と、前記端子の突出部が挿入される端子突出部挿入部２１とを備えて構成されており、前記端子が前記コネクタハウジングの端子収容孔に挿入されて前記コネクタハウジングに設置されたときに、前記端子の突出部が前記ハウジングの係止部に係止されて前記端子の抜け止めがなされるように構成されているコネクタ１である。【選択図】図１
2015022797.tif 000002
【特許請求の範囲】
【請求項１】
端子収容孔と係止部とが設けられているコネクタハウジングと、
箱状部と前記箱状部の前端部で前記箱状部から縦方向の一方の側に突出している突出部とを備えた端子と、
を有し、前記端子収容孔は、前記端子の箱状部が挿入される端子箱状部挿入部と、前記端子の突出部が挿入される端子突出部挿入部とを備えて構成されており、
前記端子が前記コネクタハウジングの端子収容孔に挿入されて前記コネクタハウジングに設置されたときに、前記端子の突出部が前記ハウジングの係止部に係止されて前記端子の抜け止めがなされるように構成されていることを特徴とするコネクタ。
【請求項２】
請求項１に記載のコネクタにおいて、
前記端子の突出部が、前記端子の箱状部の拡開を防止する箱状部拡開防止部を構成していることを特徴とするコネクタ。
【請求項３】
請求項２に記載のコネクタにおいて、
前記端子の突出部は、前記箱状部から縦方向に突出している第１の部位と、この第１の部位から横方向に突出している第２の部位と、この第２の部位から縦方向で前記箱状部側に突出し先端部が前記箱状部に接触しているかもしくは前記箱状部からごく僅かに離れている第３の部位とを備えて構成されていることを特徴とするコネクタ。
【請求項４】
箱状部と前記箱状部の後側に設けられた電線カシメ部と前記箱状部の前端部で前記箱状部から縦方向の一方の側に突出している突出部とを有し、
係止部と前記箱状部が挿入される端子箱状部挿入部および前記突出部が挿入される端子突出部挿入部を備えて構成されている端子収容孔とが設けられているコネクタハウジングの前記端子収容孔に挿入されて前記コネクタハウジングに設置されたときに、前記突出部が前記ハウジングの係止部に係止されて前記ネクタハウジングからの抜け止めがなされるように構成されていることを特徴とする端子。
【発明の詳細な説明】
【技術分野】
【０００１】
本発明は、コネクタおよび端子に係り、特に、スタビライザによってコネクタハウジングへの端子の誤挿入等を防止するものに関する。
【背景技術】
【０００２】
従来、図１２（ａ）で示すメス端子３０１を図１１（ｂ）で示すコネクタハウジング３０３の端子収容孔３０５に挿入して設置するコネクタ３０７が知られている（たとえば特許文献１参照）。
【０００３】
メス端子３０１には、前側突起３０９と後側突起３１１とが設けられている。コネクタハウジング３０３の端子収容孔３０５には、ランス３１３とリブ３１５とガイド溝３１７とが設けられている。
【０００４】
メス端子３０１をコネクタハウジング３０３の端子収容孔３０５に挿入して設置する途中の状態では、図１１（ａ）で示すように、メス端子３０１の前側突起３０９がリブ３１５に当接してランス３１３が弾性変形し、メス端子３０１をコネクタハウジング３０３の端子収容孔３０５に挿入し終えたときにランス３１３が復元し、ランス３１３がメス端子３０１の後側突起３１１に当接し、メス端子３０１のコネクタハウジング３０３からの抜け止めがなされるようになっている。
【０００５】
また、メス端子３０１をコネクタハウジング３０３の端子収容孔３０５に挿入して設置するとき、コネクタハウジング３０３のガイド溝３１７にメス端子３０１の後側突起３１１が入り込むことで、コネクタハウジング３０３に対するメス端子３０１の姿勢が規制されるようになっている。
【０００６】
なお、従来のコネクタに関する技術文献として、さらに、特許文献２を掲げることができる。
【先行技術文献】
【特許文献】
【０００７】
【特許文献１】特開２０１２−１６９１８６号公報
【特許文献２】特開２００６−２１６３２４号公報
【発明の概要】
【発明が解決しようとする課題】
【０００８】
ところで、従来のコネクタ３０７では、後側突起３１１がメス端子３０１の後側のところに位置しているので、メス端子３０１の端子収容孔３０５への挿入を開始するときには、コネクタハウジング３０３に対するメス端子３０１の姿勢が規制されず、メス端子３０１をコネクタハウジング３０３の端子収容孔３０５の奥まで挿入しないと、端子の逆挿入（誤った姿勢での端子の挿入）を検知できないことがあるという問題がある。
【０００９】
なお、上記問題は、図１２（ｂ）で示すようなオス端子３１９においても同様に発生する問題である。
【００１０】
本発明は、上記問題点に鑑みてなされたものであり、端子収容孔への端子の挿入を開始するときに、端子の逆挿入（誤った姿勢での端子の挿入）を検知することができるコネクタおよび端子を提供することを目的とする。
【課題を解決するための手段】
【００１１】
請求項１に記載の発明は、端子収容孔と係止部とが設けられているコネクタハウジングと、箱状部と前記箱状部の前端部で前記箱状部から縦方向の一方の側に突出している突出部とを備えた端子とを有し、前記端子収容孔は、前記端子の箱状部が挿入される端子箱状部挿入部と、前記端子の突出部が挿入される端子突出部挿入部とを備えて構成されており、前記端子が前記コネクタハウジングの端子収容孔に挿入されて前記コネクタハウジングに設置されたときに、前記端子の突出部が前記ハウジングの係止部に係止されて前記端子の抜け止めがなされるように構成されているコネクタである。
【００１２】
請求項２に記載の発明は、請求項１に記載のコネクタにおいて、前記端子の突出部が、前記端子の箱状部の拡開を防止する箱状部拡開防止部を構成しているコネクタである。
【００１３】
請求項３に記載の発明は、請求項２に記載のコネクタにおいて、前記端子の突出部は、前記箱状部から縦方向に突出している第１の部位と、この第１の部位から横方向に突出している第２の部位と、この第２の部位から縦方向で前記箱状部側に突出し先端部が前記箱状部に接触しているかもしくは前記箱状部からごく僅かに離れている第３の部位とを備えて構成されているコネクタである。
【００１４】
請求項４に記載の発明は、箱状部と前記箱状部の後側に設けられた電線カシメ部と前記箱状部の前端部で前記箱状部から縦方向の一方の側に突出している突出部とを有し、係止部と前記箱状部が挿入される端子箱状部挿入部および前記突出部が挿入される端子突出部挿入部を備えて構成されている端子収容孔とが設けられているコネクタハウジングの前記端子収容孔に挿入されて前記コネクタハウジングに設置されたときに、前記突出部が前記ハウジングの係止部に係止されて前記ネクタハウジングからの抜け止めがなされるように構成されている端子である。
【発明の効果】
【００１５】
本発明によれば、端子の、端子収容孔への挿入を開始するときに、端子の逆挿入（誤った姿勢での端子の挿入）を検知することができるコネクタおよび端子を提供することができるという効果を奏する。
【図面の簡単な説明】
【００１６】
【図１】本発明の実施形態に係るメス端子を示す斜視図である。
【図２】図１におけるＩＩ矢視図である。
【図３】図２においてメス端子の箱状部が開いてしまった状態を示す図である。
【図４】コネクタハウジングの１つの端子収容孔に１つの端子を挿入し設置した状態を、コネクタの前側から後側に向かって見た図である。
【図５】図４に対応した図であり、箱状部が開いてしまったメス端子を、端子収容孔に挿入しようとするときの状態を示す図である。
【図６】本発明の実施形態に係るメス端子の展開図である。
【図７】コネクタハウジングの複数の端子収容孔のそれぞれに複数のメス端子のそれぞれを挿入し設置した状態を、コネクタの前側から後側に向かって見た図である。
【図８】図７におけるＶＩＩＩ−ＶＩＩＩ断面図である。
【図９】（ａ）は、図２（ａ）に対応した図であってメス端子の箱状部と突出部とを示す図であり、（ｂ）は、図９（ａ）に対応したメス端子の変形例を示す図である。
【図１０】本発明の実施形態に係るオス端子を示す斜視図である。
【図１１】従来のコネクタの断面図である。
【図１２】従来の端子を示す斜視図である。
【発明を実施するための形態】
【００１７】
本発明の実施形態に係るコネクタ１は、図７、図８で示すように、コネクタハウジング３と端子（たとえば、メス端子５）とを備えて構成されている。
【００１８】
コネクタハウジング３は、合成樹脂等の絶縁性材料で構成されており、コネクタハウジング３には、端子収容孔７と係止部９とが設けられている。係止部９は、端子収容孔７の内部に設けられている。
【００１９】
メス端子５は、金属等の導電性材料で所定形状に形成された平板状の素材１１（図６参照）に所定の曲げ加工を施すことで形成されている。メス端子５は、図１等で示すように、箱状部１３と電線カシメ部１５と突出部（スタビライザ）１７とを備えて構成されている。
【００２０】
電線カシメ部１５は、箱状部１３の後側に設けられている。突出部１７は、箱状部１３の前端部（電線カシメ部１５とは反対側の端部）で、箱状部１３の外周から縦方向の一方の側（一端側）に突出している。なお、縦方向とは、前後方向と直交する所定の一方向である。
【００２１】
端子収容孔７は、図８で示すように、メス端子５の箱状部１３が挿入される端子箱状部挿入部１９と、メス端子５の突出部１７が挿入される端子突出部挿入部２１とを備えて構成されている。
【００２２】
これによって、コネクタハウジング３の端子収容孔７へのメス端子５の誤挿入が防止されるようになっている。
【００２３】
詳しく説明する。端子収容孔７がコネクタハウジング３の後端面から前方に向かって凹んでいる姿勢になっており、箱状部１３が前側に位置し電線カシメ部１５が後側に位置した姿勢になっているメス端子５が、コネクタハウジング３の後側でコネクタハウジング３から離れている状態を初期状態とする。
【００２４】
この初期状態で、メス端子５をコネクタハウジング３に対して前方に移動するとき、前後方向に延びた所定の軸まわりでのメス端子５の回転角度が正しい角度になっていないと（メス端子５が正しい姿勢になっていないと）、メス端子５の突出部１７が端子収容孔７の端子突出部挿入部２１に入ることができず、メス端子５が端子収容孔７に挿入されないようになっている。
【００２５】
なお、前後方向に延びた所定の軸まわりでのメス端子５の回転角度が正しい角度になっていれば、メス端子５をコネクタハウジング３に対して前方に移動することで、端子箱状部挿入部１９にメス端子５の箱状部１３が挿入され、端子突出部挿入部２１にメス端子５の突出部１７が挿入されて、端子収容孔７にメス端子５が挿入され設置されるようになっている。
【００２６】
メス端子５がコネクタハウジング３の端子収容孔７に挿入されてコネクタハウジング３に収容され設置されたときに、メス端子５の突出部１７がコネクタハウジング３の係止部９に係止されて、コネクタハウジング３からのメス端子５の抜け止め（後方への移動の阻止）がなされるように構成されている。
【００２７】
また、メス端子５の突出部１７は、メス端子５の箱状部１３の箱状部拡開防止部２３を構成している。すなわち、メス端子５の突出部１７の一部がメス端子５の箱状部１３の外周の一部に係合することで、メス端子５の箱状部１３の拡開を防止する箱状部拡開防止部２３が構成されている。
【００２８】
これにより、メス端子５の突出部１７は、誤挿入防止部２５と被係止部２７と箱状部拡開防止部２３とを構成していることになる。誤挿入防止部２５は、上述したような、端子収容孔７へのメス端子５の誤挿入を防止するための部位であり、被係止部２７は、上述したように、コネクタハウジング３の係止部９に係止されて、コネクタハウジング３からのメス端子５の抜け止めをする部位である。
【００２９】
メス端子５の突出部１７は、図１等で示すように、第１の部位２９と第２の部位３１と第３の部位３３とを備えて構成されている。
【００３０】
第１の部位２９は、箱状部１３から縦方向に突出している。第２の部位３１は、第１の部位の先端から横方向に突出している。横方向とは、前後方向と縦方向とに対して直交する一方向である。第３の部位３３は、第２の部位３１の先端から縦方向で箱状部１３側に突出している。さらに、第３の部位３３の先端部は、箱状部１３からごく僅かに離れている。なお、第３の部位３３の先端部が箱状部１３に接触している構成であってもよい。
【００３１】
第１の部位２９と第２の部位３１と第３の部位３３とを備えて構成されている突出部１７を前後方向から見ると「コ」字状になっている（図２等参照）。
【００３２】
コネクタ１についてさらに詳しく説明する。コネクタハウジング３は直方体状に形成されている。端子収容孔７は、コネクタハウジング３の後端面３７から前側に向かって凹んでいる。
【００３３】
端子収容孔７の底面３５は、コネクタハウジング３の前端面３９の近傍に位置している。端子収容孔７の底面３５から前端面３９にかけては、コネクタハウジング３に設置されたメス端子５に接続されるオス端子（たとえば、図１０で示すようなオス端子６３）のオス端子タブ（突出部）６５が入り込む貫通孔４１が設けられている。
【００３４】
端子収容孔７を前後方向から見ると、図４等で示すように、矩形の１つの角部を上記矩形よりも小さい矩形で切り欠いた形状に形成されている。つまり、大きい矩形と小さい矩形とを備えた形状になっている。そして、端子箱状部挿入部１９が大きいほうの矩形になっており、端子突出部挿入部２１が小さいほうの矩形になっている。
【００３５】
また、縦方向では、端子突出部挿入部２１が一端側に位置しており、端子箱状部挿入部１９が他端側に位置しており、横方向では、端子突出部挿入部２１が一端側に位置している。
【００３６】
端子収容孔７は複数設けられており、前後方向から見ると、各端子収容孔７は、縦方向および横方向で所定の間隔をあけてならんでいる（図７参照）。
【００３７】
コネクタハウジング３の係止部９は、図８で示すように、弾性アーム４３を備えて構成されている。弾性アーム４３は、端子突出部挿入部２１に設けられている。さらに説明すると、弾性アーム４３は基端が後側に位置し、先端が前側に位置して、端子突出部挿入部２１の縦方向一端の壁面から延出している。
【００３８】
そして、メス端子５をコネクタハウジング３に設置する途中の状態では、メス端子５の突出部１７に押されて、弾性アーム４３が弾性変形し、メス端子５をコネクタハウジング３に設置し終えたときは、突出部１７が弾性アーム４３からはずれることで弾性アーム４３が復元し、弾性アーム４３の先端（前端）４５が、突出部１７に係合し、コネクタハウジング３に設置されたメス端子５の抜け止めがなされるように構成されている。
【００３９】
メス端子５の箱状部１３は、図１等で示すように、矩形な筒状に形成されており、電線カシメ部１５は、芯線カシメ部４７とシースカシメ部４９とを備えて構成されている。
【００４０】
箱状部１３は、図６等で示すように、矩形状の底壁部５１と一対の矩形状の側壁部５３，５５と矩形状の第１の上壁部５７と矩形状の第２の上壁部５９と矩形状の第３の上壁部６１とを備えて構成されている。
【００４１】
底壁部５１と一対の矩形状の側壁部５３，５５とは、前後方向で箱状部１３の全長にわたって延びている。また、底壁部５１と一対の矩形状の側壁部５３，５５とを前後方向から見ると、「コ」字状になっている（図２参照）。
【００４２】
第１の上壁部５７は、箱状部１３の前端と、箱状部１３の前端から後端側へ所定の僅かな距離だけ離れた部位との間にわたって、側壁部５３に設けられている。底壁部５１と一対の矩形状の側壁部５３，５５と第１の上壁部５７とを前後方向から見ると、「ロ」字状になっている（図２参照）。
【００４３】
第２の上壁部５９は、箱状部１３の後端と、後端から前端側へ所定の距離だけ離れた部位との間にわたって、側壁部５３に設けられている。底壁部５１と一対の矩形状の側壁部５３，５５と第２の上壁部５９とを前後方向から見ると、「ロ」字状になっている。
【００４４】
第２の上壁部５９からは、矩形状の弾性接触片（弾性突出片）６７が突出している。弾性接触片６７は、底壁部５１に形成されているビード部６９とともに、メス端子５に接続されるオス端子６３のオス端子タブ６５を挟み込むようになっている。なお、弾性接触片６７と第１の上壁部５７との間には、「Ｌ」字状の切り欠き７１が設けられている。
【００４５】
突出部１７は、箱状部１３の前端と、箱状部１３の前端から後端側へ所定の僅かな距離だけ離れた部位との間にわたって、側壁部５５に設けられている。なお、前後方向における突出部１７の長さは、前後方向における第１の上壁部５７の長さよりも長くなっている。また、前後方向における第２の上壁部５９の長さは、前後方向における突出部１７の長さよりも長くなっている。
【００４６】
第３の上壁部６１は、箱状部１３の後端と、箱状部１３の後端から前端側へ所定の僅かな距離だけ離れた部位との間にわたって、側壁部５５に設けられている。なお、前後方向における第３の上壁部６１の長さは、前後方向における第２の上壁部５９の長さよりも僅かに短くなっている（図１、図６参照）。
【００４７】
底壁部５１と一対の矩形状の側壁部５３，５５と第２の上壁部５９と第３の上壁部６１とを前後方向から見ると、「ロ」字状になっている。ただし、第２の上壁部５９と第３の上壁部６１とは重なっており、第２の上壁部５９が箱状部１３の内側に位置し、第３の上壁部６１が箱状部１３の外側に位置している（図１参照）。
【００４８】
また、第２の上壁部５９から突出している小さな矩形状の突出片７３が、第３の上壁部６１と側壁部５５との間に設けられている小さな矩形状の貫通孔７５に入り込んでいる（図１参照）。これにより、箱状部１３の後側の部位にも、矩形な筒状の箱状部１３の形状を保つための箱状部拡開防止部６０が形成されている（図１参照）。
【００４９】
ここで、箱状部１３の前側に設けられている箱状部拡開防止部２３について詳しく説明する。メス端子５の箱状部１３と突出部１７とを前側から見ると、図９（ａ）で示すように、底壁部５１と一対の矩形状の側壁部５３，５５と第１の上壁部５７とで「ロ」字状の箱状部１３が形成されている。ただし、第１の上壁部５７の端（右端）は、側壁部５５（突出部１７）から僅かに離れている。なお、第１の上壁部５７の端が、側壁部５５（突出部１７）に接触している構成であってもよい。
【００５０】
突出部１７の第１の部位２９は、側壁部５５をそのまま延ばした形態で側壁部５５から縦方向の一方の側に突出している。
【００５１】
突出部１７の第２の部位３１は、第１の部位２９の先端部から横方向の他端側（横方向で箱状部１３側）に延出している。第３の部位３３は、第２の部位３１の先端部から箱状部１３側に向かって延出している。なお、第１の部位２９と第２の部位３１との交差角度は、ほぼ９０°になっているが、第２の部位３１と第３の部位３３との交差角度は、１００°〜１１０°程度の９０°よりも僅かに大きい鈍角になっている。
【００５２】
第３の部位３３の先端は、箱状部１３の第１の上壁部５７からごく僅かに離れているが、第１の上壁部５７に接触していてもよい。
【００５３】
また、横方向における突出部１７の幅は、箱状部１３の半分程度になっている。さらに、前後方向から見ると、箱状部１３と突出部１７との外形形状は、端子収容孔７の形状と同形状で端子収容孔７よりもごく僅かに小さい形状になっている。
【００５４】
箱状部１３と突出部１７とが上述した形態になっていることで、箱状部１３の箱状部拡開防止部２３が構成されている。すなわち、図９（ａ）に矢印で示す方向に、箱状部１３の第１の上壁部５７が変形しようとしても、突出部１７に当接して変形が阻止され、箱状部１３の拡開が防止されるようになっている。
【００５５】
なお、図６に二点鎖線で示すように、第１の上壁部５７に貫通孔７７を設け、突出部１７の第３の部位３３に突出片７９を設けてもよい。そして、図９（ｂ）で示すように、第１の上壁部５７の貫通孔７７に第３の部位３３に突出片７９が入り込むようにしてもよい。これにより、箱状部１３の拡開が一層防止される。
【００５６】
次に、メス端子５のコネクタハウジング３への設置について説明する。
【００５７】
電線８１が設置されたメス端子５の、コネクタハウジング３の端子収容孔７への挿入を始める。このとき、メス端子５が誤った姿勢になっていると、メス端子５の突出部１７が端子収容孔７の端子突出部挿入部２１に入らず、メス端子５の誤挿入が阻止される。
【００５８】
正しい姿勢のメス端子５の、端子収容孔７への挿入を進めると、メス端子５の突出部１７に押されて弾性アーム４３が弾性変形する。挿入をさらに進めると、突出部１７が弾性アーム４３からはずれることで弾性アーム４３が復元し、弾性アーム４３の先端４５が、突出部１７に係合し、メス端子５のコネクタハウジング３への設置が終了し、コネクタハウジング３に設置されたメス端子５の抜け止めがなされるようになっている。
【００５９】
なお、図２で示すように、メス端子５の箱状部１３が拡開されておらず良品の状態になっているときには、図４で示すように、コネクタハウジング３の端子収容孔７への挿入が許容される。一方、図３で示すように、メス端子５の箱状部１３が拡開されていて不良品の状態になっているときには、図５で示すように、たとえば、突出部１７が、端子収容孔７外側のコネクタハウジング３の肉部にひっかかり、コネクタハウジング３の端子収容孔７への挿入が阻止されるようになっている。
【００６０】
コネクタ１によれば、メス端子５の突出部１７が箱状部１３の前端部に設けられており、コネクタハウジング３の端子収容孔７が、メス端子５の箱状部１３が挿入される端子箱状部挿入部１９とメス端子５の突出部１７が挿入される端子突出部挿入部２１とを備えているので、端子収容孔７への挿入を開始するときに、メス端子５の逆挿入（誤った姿勢でのメス端子５の挿入）を検知することができる。
【００６１】
また、コネクタ１によれば、メス端子５がコネクタハウジング３の端子収容孔７に挿入されてコネクタハウジング３に設置されたときに、メス端子５の突出部１７がコネクタハウジング３の係止部９に係止されてメス端子５の抜け止めがなされるように構成されているので、１つの突出部１７によって、メス端子５の逆挿入の防止と、コネクタハウジング３に挿入され設置されたメス端子５の抜け止めとがなされており、構成が簡素化されている。
【００６２】
また、コネクタ１によれば、突出部１７によってメス端子５の箱状部１３の拡開を防止する箱状部拡開防止部２３が構成されているので、簡素な構成でメス端子５の箱状部１３の拡開を防止することができる。すなわち、１箇所に集約された突出部１７が、メス端子５の誤挿入を防止する誤挿入防止部２５とメス端子５の抜け止めをする被係止部２７と箱状部拡開防止部２３とを構成していることになり、メス端子５の構成が簡素化されている。
【００６３】
また、コネクタ１によれば、メス端子５の突出部１７が第１の部位２９と第２の部位３１と第３の部位３３とで構成されており、前後方向から見たときに、メス端子５の突出部１７が横方向で所定の幅（箱状部１３の幅の半分程度の幅）になっているので、誤挿入防止部２５の面積が大きくなっており、誤挿入の検知性が高くなっており、メス端子５の誤挿入が一層発生し難くなっている。
【００６４】
なお、上記説明では、メス端子５を例に掲げて説明したが、図１０に示すオス端子６３を、メス端子５の代わりに採用してもよい。
【符号の説明】
【００６５】
１  コネクタ
３  コネクタハウジング
５  メス端子
７  端子収容孔
９  係止部
１３  箱状部
１５  電線カシメ部
１７  突出部
１９  端子箱状部挿入部
２１  端子突出部挿入部
２３  箱状部拡開防止部
２９  第１の部位
３１  第２の部位
３３  第３の部位
【図１】
2015022797.tif 000003
【図２】
2015022797.tif 000004
【図３】
2015022797.tif 000005
【図４】
2015022797.tif 000006
【図５】
2015022797.tif 000007
【図６】
2015022797.tif 000008
【図７】
2015022797.tif 000009
【図８】
2015022797.tif 000010
【図９】
2015022797.tif 000011
【図１０】
2015022797.tif 000012
【図１１】
2015022797.tif 000013
【図１２】
2015022797.tif 000014